(57)【特許請求の範囲】
【請求項１】
第一プレキャスト部材のコンクリート部から突出した鉄筋の雄ネジ部に、雌ネジ部を有する蓋手段を装着する蓋装着工程と、
第二プレキャスト部材の端部に埋設されたスリーブに前記鉄筋を挿入させつつ、前記第一プレキャスト部材と前記第二プレキャスト部材とを対向させるＰＣａ部材配置工程と、
前記雌ネジ部を回転させることにより、前記蓋手段を前記スリーブの開口縁部に押し付ける蓋押付工程と、
前記蓋手段を前記スリーブの開口縁部に押し付けた状態で、前記スリーブ内にスリーブ継手用充填材を充填するとともに、前記第一プレキャスト部材のコンクリート部と前記第二プレキャスト部材のコンクリート部との間の目地部に目地用充填材を充填する充填工程と、を具備するプレキャスト部材の接合方法であって、
前記第一プレキャスト部材および前記第二プレキャスト部材の少なくとも一方のコンクリート部に植設した複数の受け部材により前記目地部の厚さを一定に保持した状態で、前記蓋押付工程を行う、ことを特徴とするプレキャスト部材の接合方法。
【請求項２】
第一プレキャスト部材のコンクリート部から突出した鉄筋の雄ネジ部に、雌ネジ部を有する蓋手段を装着する蓋装着工程と、
第二プレキャスト部材の端部に埋設されたスリーブに前記鉄筋を挿入させつつ、前記第一プレキャスト部材と前記第二プレキャスト部材とを対向させるＰＣａ部材配置工程と、
前記雌ネジ部を回転させることにより、前記蓋手段を前記スリーブの開口縁部に押し付ける蓋押付工程と、
前記蓋手段を前記スリーブの開口縁部に押し付けた状態で、前記スリーブ内にスリーブ継手用充填材を充填するとともに、前記第一プレキャスト部材のコンクリート部と前記第二プレキャスト部材のコンクリート部との間の目地部に目地用充填材を充填する充填工程と、を具備するプレキャスト部材の接合方法であって、
前記第一プレキャスト部材のコンクリート部の端面に凹部を形成するとともに、前記凹部の底面から前記鉄筋を突出させておき、
前記蓋装着工程において、前記雌ネジ部の高さ方向の一部を前記凹部に収容する、ことを特徴とするプレキャスト部材の接合方法。
【請求項３】
第一プレキャスト部材のコンクリート部から突出した鉄筋の雄ネジ部に、雌ネジ部を有する蓋手段を装着する蓋装着工程と、
第二プレキャスト部材の端部に埋設されたスリーブに前記鉄筋を挿入させつつ、前記第一プレキャスト部材と前記第二プレキャスト部材とを対向させるＰＣａ部材配置工程と、
前記雌ネジ部を回転させることにより、前記蓋手段を前記スリーブの開口縁部に押し付ける蓋押付工程と、
前記蓋手段を前記スリーブの開口縁部に押し付けた状態で、前記スリーブ内にスリーブ継手用充填材を充填するとともに、前記第一プレキャスト部材のコンクリート部と前記第二プレキャスト部材のコンクリート部との間の目地部に目地用充填材を充填する充填工程と、を具備するプレキャスト部材の接合方法であって、
前記雄ネジ部と前記雌ネジ部との隙間にシール材を充填した後に、前記蓋押付工程を行うことを特徴とするプレキャスト部材の接合方法。
【発明の詳細な説明】
【技術分野】
【０００１】
本発明は、スリーブ継手を利用したプレキャスト部材の接合方法に関する。
【背景技術】
【０００２】
鉄筋同士を繋ぎ合わせる際に使用される機械式継手の一つとして、無収縮モルタルなどの充填材（グラウト材）をスリーブ内に充填する形式の継手（いわゆるスリーブ継手）が種々提案されており、プレキャスト部材同士の接合部にも使用されている。スリーブ継手を利用したプレキャスト部材の接合構造は、特許文献１に開示されているように、一方のプレキャスト部材の端部に筒状のスリーブを埋設しておき、当該スリーブ内において両プレキャスト部材の鉄筋同士を突き合わせつつ、両プレキャスト部材同士を対向させ、その後、スリーブ内に充填材を充填する、というものである。
【０００３】
スリーブ継手用の充填材は、通常、プレキャスト部材のコンクリートよりも高強度であるから、両プレキャスト部材間の目地部（隙間）の充填材として使用されることが多い。
【０００４】
なお、スリーブ継手は、使用すべき材料（スリーブ、充填材）から施工手順までを含んだ内容で構造評定を取得している場合が多く、この場合には、メーカー指定の充填材等を使用する必要がある。
【先行技術文献】
【特許文献】
【０００５】
【特許文献１】特開平１０−１４７９７８号公報
【発明の概要】
【発明が解決しようとする課題】
【０００６】
プレキャスト部材のコンクリートとして、超高強度コンクリートを使用すると、スリーブ継手用充填材の圧縮強度がプレキャスト部材の圧縮強度を下回る場合がある。この場合には、スリーブ継手用充填材よりも圧縮強度の高い目地用充填材を別途用意することが望ましい。
【０００７】
ところが、スリーブ継手のスリーブは、筒状を呈しており、目地部に臨む面が開口しているため、スリーブ内に充填したスリーブ継手用充填材が目地部に混入するか、あるいは、目地部に充填した目地用充填材がスリーブ内に混入する虞がある。
【０００８】
このような観点から、本発明は、スリーブ内に充填する充填材と目地部に充填する充填材とを打ち分けることが可能なプレキャスト部材の接合方法を提供することを課題とする。
【課題を解決するための手段】
【０００９】
本発明に係るプレキャスト部材の接合方法は、第一プレキャスト部材のコンクリート部から突出した鉄筋の雄ネジ部に、雌ネジ部を有する蓋手段を装着する蓋装着工程と、第二プレキャスト部材の端部に埋設されたスリーブに前記鉄筋を挿入させつつ、前記第一プレキャスト部材と前記第二プレキャスト部材とを対向させるＰＣａ部材配置工程と、前記雌ネジ部を回転させることにより、前記蓋手段を前記スリーブの開口縁部に押し付ける蓋押付工程と、前記蓋手段を前記スリーブの開口縁部に押し付けた状態で、前記スリーブ内にスリーブ継手用充填材を充填するとともに、前記第一プレキャスト部材のコンクリート部と前記第二プレキャスト部材のコンクリート部との間の目地部に目地用充填材を充填する充填工程と、を具備することを特徴とする。
【００１０】
第一プレキャスト部材および第二プレキャスト部材の用途や形状に制限はなく、例えば、柱、梁、柱梁接合部（パネルゾーン）、壁、床などとして使用される。なお、第一プレキャスト部材および第二プレキャスト部材は、同種のもの（例えば、両方とも柱）であってもよいし、異種のもの（例えば、一方が柱で他方が梁）であってもよい。
【００１１】
雄ネジ部を有する鉄筋としては、ネジ節鉄筋のほか、ネジ加工が施された異形鉄筋などが含まれる。また、雌ネジ部を有する蓋手段には、例えば、蓋となる部材にナットを組み合わせたもの、座金付きナット、蓋となる部材に雌ネジ加工を施したものなどが含まれる。
【００１２】
充填工程における充填順序に制限はない。スリーブ継手用充填材および目地用充填材の一方の充填作業を行った後に他方の充填作業を行ってもよいし、同時に行ってもよい。
【００１３】
本発明によれば、スリーブの開口が蓋手段で塞がれた状態となるので、スリーブ内に充填したスリーブ継手用充填材が目地部に混入しないようになり、同様に、目地部に充填した目地用充填材がスリーブ内に混入しないようになる。すなわち、本発明によれば、スリーブ継手用充填材と目地用充填材とを明確に打ち分けることが可能になる。
【００１４】
本発明においては、前記第一プレキャスト部材および前記第二プレキャスト部材の少なくとも一方のコンクリート部に植設した複数の受け部材により前記目地部の厚さを一定に保持した状態で、前記蓋押付工程を行うようにしてもよい。
なお、目地部の厚さ（高さ）は、蓋手段が納まるような大きさに設定する必要があるので、蓋手段の高さが大きくなるにつれて、目地部の厚さも大きくなり、目地用充填材の使用量が嵩む虞がある。目地部の厚さを抑えたい場合には、前記第一プレキャスト部材のコンクリート部の端面に凹部を形成するとともに、前記凹部の底面から前記鉄筋を突出させておき、前記蓋装着工程において、前記雌ネジ部の高さ方向の一部を前記凹部に収容すればよい。このようにすると、目地部の厚さを大きくせずとも、蓋手段を配置することが可能となり、ひいては、目地用充填材の使用量を抑制することが可能になる。
【００１５】
前記雄ネジ部と前記雌ネジ部との隙間にシール材を充填した後に、前記蓋押付工程を行ってもよい。このようにすると、雄ネジ部と雌ネジ部との隙間も塞がれるようになるので、スリーブ継手用充填材あるいは目地用充填材の漏れを確実に防ぐことが可能になる。
【発明の効果】
【００１８】
本発明に係るプレキャスト部材の接合方法によれば、スリーブ継手用充填材と目地用充填材とを明確に打ち分けることが可能になる。
【図面の簡単な説明】
【００１９】
【図１】本発明の実施形態に係るプレキャスト部材の接合構造を示す図であって、（ａ）は縦断面図、（ｂ）は（ａ）のＢ−Ｂ線断面図である。
【図２】本発明の実施形態に係るプレキャスト部材の接合構造を示す分解斜視図である。
【図３】本発明の実施形態に係るプレキャスト部材の接合方法を説明するための縦断面図であって、（ａ）は蓋装着工程の説明図、（ｂ）はＰＣａ部材配置工程の説明図である。
【図４】本発明の実施形態に係るプレキャスト部材の接合方法を説明するための縦断面図であって、（ａ）は蓋押付工程の説明図、（ｂ）は充填工程の説明図である。
【発明を実施するための形態】
【００２０】
本発明の実施形態に係るプレキャスト部材の接合構造（以下、単に「接合構造」という。）は、スリーブ継手を利用した接合構造であり、図１の（ａ）に示すように、第一プレキャスト部材１と、第二プレキャスト２と、蓋手段３と、スリーブ継手用充填材４と、目地用充填材５とを備えている。
【００２１】
なお、本実施形態では、第一プレキャスト部材１および第二プレキャスト部材２がいずれも柱である場合を例示する。
【００２２】
第一プレキャスト部材１および第二プレキャスト部材２は、いずれも鉄筋コンクリート製である。コンクリートの種類や強度に制限はないが、本実施形態では、圧縮強度２００ｋＮ／ｍｍ2クラスの超高強度コンクリートを使用している。
【００２３】
第一プレキャスト部材１は、超高強度コンクリートからなるコンクリート部１１と、コンクリート部１１に配筋された鉄筋（柱主筋）１２，１２，…と、コンクリート部１１の端部に植設された受け部材１３とを備えている。
【００２４】
コンクリート部１１の接合面（第二プレキャスト部材２に対向する端面）には、複数の凹部１ａ，１ａ，…が形成されている。凹部１ａは、ナット３２の高さ方向（厚さ方向）の一部を収容可能な寸法・形状に成形されている。本実施形態の凹部１ａは、逆円錐台状を呈している。なお、本実施形態では、一本の鉄筋１２に対して一つの凹部１ａを形成しているが（図２参照）、複数の鉄筋１１に対して一つの凹部を形成してもよい。
【００２５】
鉄筋１２は、ネジ節鉄筋である。鉄筋１２の端部は、コンクリート部１１（より具体的には、凹部１ａの底面の中央部）から第二プレキャスト部材２に向かって突出していて、スリーブ２３内に挿入されている。
【００２６】
受け部材１３は、第二プレキャスト部材２をコンクリート部１１上に仮置きする際のスペーサであり、鉄筋１２および目地注入孔２ｃと干渉しない位置に複数配置されている（図２参照）。受け部材１３は、目地用充填材５が硬化するまで第二プレキャスト部材２を支持し、かつ、第一プレキャスト部材１のコンクリート部１１と第二プレキャスト部材２のコンクリート部２１との間隔（目地部の厚さ）を一定に保持する。本実施形態の受け部材１３は、ボルトからなり、高さ調節（突出量の調節）ができるよう、コンクリート部１１に埋設されたインサートナットに螺合されている。
【００２７】
第二プレキャスト部材２は、超高強度コンクリートからなるコンクリート部２１と、コンクリート部２１に配筋された鉄筋（柱主筋）２２，２２，…と、スリーブ継手用のスリーブ２３とを備えている。
【００２８】
コンクリート部２１には、その側面からスリーブ２３に至るスリーブ注入孔２ａおよび空気抜き孔２ｂのほか、図１の（ｂ）に示すように、コンクリート部２１の側面から接合面（第一プレキャスト部材１に対向する端面）に至る目地注入孔２ｃが形成されている。
【００２９】
鉄筋２２は、ネジ節鉄筋である。鉄筋２２の端部は、スリーブ２３内に突出していて、スリーブ２３内において第一プレキャスト部材１の鉄筋１２に突き合わされている。
【００３０】
スリーブ２３は、コンクリート部２１の端部に埋設されている。本実施形態のスリーブ２３は、円筒状の鋼製部材であり、図２にも示すように、コンクリート部２１の接合面に開口している。
【００３１】
蓋手段３は、スリーブ２３の開口を塞ぐものであり、第一プレキャスト部材１の鉄筋１２に装着されている。本実施形態の蓋手段３は、蓋プレート３１とナット３２の二部品にて構成されている。なお、図２では、蓋手段３の図示を適宜省略しているが、蓋手段３は、コンクリート部１１から突出する総ての鉄筋１２，１２，…に装着される。
【００３２】
蓋プレート３１は、スリーブ２３の開口を覆い隠すことができる大きさの円板であり、スリーブ２３の開口縁部に密着する（図１の（ａ）参照）。蓋プレート３１の中央部には、鉄筋１２よりも径の大きい開口が形成されている。
【００３３】
ナット３２は、雌ネジ部を有する締結部品であり、蓋プレート３１の下側（コンクリート部１１側）において鉄筋１２の雄ネジ部に螺合されている。ナット３２を所定方向に回転させると、蓋プレート３１を押し上げながら第二プレキャスト部材２側に移動し、蓋プレート３１がスリーブ２３の開口縁部に当接した状態でナット３２を締め付けると、蓋プレート３１がスリーブ２３の開口縁部に押し付けられるようになる。
【００３４】
凹部１ａの開口径をナット３２の対角距離よりも大きくしているので、図３の（ａ）に示すように、ナット３２の高さ方向の一部を凹部１ａに入り込ませることができる。本実施形態では、凹部１ａの深さをナット３２の高さよりも小さくしているので、鉄筋１２の突出部分の基端部にナット３２を位置させると、ナット３２の下半部が凹部１ａに収容された状態となり、ナット３２の上半部が凹部１ａから食み出した状態となる。
【００３５】
ナット３２には、その側面から内周面に至る貫通孔（図示略）が形成されている。この貫通孔は、ナット３２の雌ネジ部と鉄筋１２の雄ネジ部との隙間にシール材を充填する際に使用される。
【００３６】
スリーブ継手用充填材４は、図１の（ａ）に示すように、スリーブ２３内に充填される。スリーブ継手用充填材４としては、例えば無収縮モルタルなどのセメント系グラウト材のほか、エポキシ樹脂などの樹脂系グラウト材を使用することができる。なお、構造評定等において使用すべき材料が指定されている場合には、指定の材料を使用する。
【００３７】
目地用充填材５は、第一プレキャスト部材１と第二プレキャスト部材２との間の目地部（コンクリート部１１，１２間の隙間）に充填される。目地用充填材５としては、セメント系グラウト材や樹脂系グラウト材を使用することができるが、スリーブ継手用充填材４よりも圧縮強度の高いものを使用する。本実施形態では、第一プレキャスト部材１および第二プレキャスト部材２の超高強度コンクリートと同等の圧縮強度を発現する超高強度モルタルを目地用充填材５として使用する。
【００３８】
以下、本発明の実施形態に係るプレキャスト部材の接合方法（以下、単に「接合方法」という。）を説明する。
【００３９】
本実施形態に係る接合方法は、蓋装着工程と、ＰＣａ部材配置工程と、蓋押付工程と、充填工程とを具備するものである。
【００４０】
蓋装着工程は、図３の（ａ）に示すように、第一プレキャスト部材１のコンクリート部１１から突出した鉄筋１２の雄ネジ部に蓋手段３を装着する工程である。本実施形態の蓋手段３は、蓋プレート３１とナット３２の二部品からなるので、蓋手段３を鉄筋１２に装着する場合には、まず、ナット３２を鉄筋１２に螺合させ、その後、蓋プレート３１を鉄筋１２に通し入れればよい。
【００４１】
鉄筋１２の突出部分にナット３２を螺合したならば、突出部分の基端部（本実施形態では下端部）までナット３２を移動させ、ナット３２の下半部を凹部１ａに入り込ませる。本実施形態では、蓋プレート３１を設置する前に、鉄筋１２の雄ネジ部とナット３２の雌ネジ部との隙間（ネジ山の隙間）にシール材を充填する。シール材は、ナット３２の上面から注入するとともに（図３の（ａ）の矢印ａ）、側面の貫通孔（図示略）から注入すればよい（図３の（ａ）の矢印ｂ）。シール材の配合や材質等に制限はなく、各種接着材、セメント系グラウト材、樹脂系グラウト材、粘土などを使用することができるが、本実施形態では、無収縮モルタルを使用する。
【００４２】
ネジ山同士の隙間にシール材を充填したならば、蓋プレート３１を鉄筋１２に環装し、ナット３２の上面に載置する。ナット３２が鉄筋１２の突出部分の基端部（凹部１ａの底面付近）に位置している状態で蓋プレート３１を配置すると、蓋プレート３１は、受け部材１３の支持面（本実施形態では上端面）よりもコンクリート部１１側（本実施形態では下側）に位置する。なお、図示は省略するが、蓋プレート３１の上面（スリーブ２３の開口縁部に接触する面）にシール材又は接着材を塗着してもよい。
【００４３】
ＰＣａ部材配置工程は、図３の（ｂ）に示すように、スリーブ２３に鉄筋１２を挿入させつつ、第一プレキャスト部材１と第二プレキャスト部材２とを対向させる工程である。本実施形態では、第一プレキャスト部材１の受け部材１３，１３，…に第二プレキャスト部材２を載置する。このようにすると、コンクリート部１１の上端面とコンクリート部２１の下端面との間に、受け部材１３，１３，…の突出量に対応した目開き量の隙間（目地部）が確保されるようになる。
【００４４】
蓋押付工程は、図４の（ａ）に示すように、蓋手段３のナット３２（雌ネジ部）を回転させることにより、蓋手段３をスリーブ２３の開口縁部に押し付ける工程である。なお、蓋押付工程は、ネジ山の隙間に充填したシール材が硬化する前に行う。
【００４５】
蓋押付工程では、まず、凹部１ａに収容されたナット３２を所定方向に回転させることにより、蓋プレート３１とともにコンクリート部２１に向けて移動させる。なお、図示は省略するが、スパナなどの締結工具は、接合部の外側から目地部に挿入する。ナット３２が凹部１ａの底面付近に位置している場合であっても、ナット３２の上半部は、凹部１ａから突出しているので、特殊な締付工具を使用せずとも、ナット３２を回転させることができる。
【００４６】
蓋プレート３１がスリーブ２３の開口縁部（コンクリート部２１の端面）に当接したならば、ナット３２を締め上げることにより、蓋プレート３１をスリーブ２３の開口縁部に押し付ける。蓋プレート３１をスリーブ２３の開口縁部に押し付けると、スリーブ２３の開口が閉塞される。総ての蓋手段３，３，…を締め付けたならば、図４の（ｂ）に示すように、目地部の周囲に型枠６を設置する。
【００４７】
充填工程は、スリーブ２３内にスリーブ継手用充填材４を充填するとともに、目地部に目地用充填材５を充填する工程であり、蓋手段３をスリーブ２３の開口縁部に押し付けた状態で行われる。スリーブ継手用充填材４および目地用充填材５の充填順序に制限はなく、一方について充填作業を行った後に他方の充填作業を行ってもよいし、同時に充填作業を行ってもよい。
【００４８】
スリーブ継手用充填材４は、スリーブ注入孔２ａからスリーブ２３内に充填し、目地用充填材５は、目地注入孔２ｃから目地部に充填する。スリーブ２３内の空気は、空気抜き孔２ｂから排出し、目地部の空気は、型枠６に設けた空気抜き孔（図示略）等から排出する。なお、充填工程は、ネジ山の隙間に充填したシール材が硬化した後に行うことが好ましい。
【００４９】
以上説明した本実施形態に係る接合方法によれば、スリーブ２３の開口が蓋手段３で塞がれた状態となるので、スリーブ２３内に充填したスリーブ継手用充填材４が目地部に混入しないようになり、同様に、目地部に充填した目地用充填材５がスリーブ２３内に混入しないようになる。すなわち、本実施形態に係る接合方法によれば、スリーブ継手用充填材４と目地用充填材５とを明確に打ち分けることが可能になる。
【００５０】
さらに、本実施形態では、鉄筋１２とナット３２との隙間にシール材を充填し、雄ネジ部と雌ネジ部との隙間を塞いでいるので、スリーブ継手用充填材４あるいは目地用充填材５の漏れを確実に防ぐことが可能になる。
【００５１】
また、第一プレキャスト部材１に凹部１ａを設け、ＰＣａ部材配置工程が終了するまで、ナット３２の一部を凹部１ａに収容するようにしたので、目地部の厚さ（コンクリート部１１，２１の離隔距離）を大きくせずとも、蓋手段３を配置することが可能となり、ひいては、目地用充填材５の使用量を抑制することが可能になる。
【００５２】
また、目地用充填材５は、第一プレキャスト部材１および第二プレキャスト部材２の超高強度コンクリートと同等の圧縮強度を発現するので、目地部が設計上の弱部になることもない。
【００５３】
なお、本実施形態では、第一プレキャスト部材１が所定位置に予め立設されている場合を例示したが、第一プレキャスト部材１および第二プレキャスト部材２を作業ヤード等において接合した後に、所定位置に建て込んでも勿論差し支えない。作業ヤード等において接合する場合には、第一プレキャスト部材１および第二プレキャスト部材２を立てた状態で接合してもよいし、横たえた状態で接合してもよい。
【００５４】
本実施形態では、第一プレキャスト部材１の上に第二プレキャスト部材２を配置する場合を例示したが、上下を逆転させても勿論差し支えない。この場合には、第二プレキャスト部材２の上に第一プレキャスト部材１が位置するようになるので、蓋プレート３１とナット３２を一体化する等して蓋プレートの落下を防いでおく。蓋押付工程では、蓋手段３のナット３２を下方向へ移動させることになる。
【００５５】
本実施形態では、第一プレキャスト部材１に受け部材１３を植設した場合を例示したが、受け部材の構成や配置を限定する趣旨ではない。図示は省略するが、第二プレキャスト部材２のコンクリート部２１に受け部材を植設してもよいし、ブロック状の部材を受け部材とし、第一プレキャスト部材１の上端面に載置しただけでもよい。
【００５６】
本実施形態では、第一プレキャスト部材１および第二プレキャスト部材２が柱である場合を例示したが、プレキャスト部材の用途を限定する趣旨ではない。図示は省略するが、梁、柱梁接合部、壁、床などをプレキャスト部材で構築する場合にも、本発明を適用することができる。
【符号の説明】
【００５７】
１    第一プレキャスト部材
１１  コンクリート部
１ａ  凹部
１２  鉄筋
２    第二プレキャスト部材
２１  コンクリート部
２３  スリーブ
３    蓋手段
３２  ナット（雌ネジ部）
４    スリーブ継手用充填材
５    目地用充填材
【図１】
0005592220.tif 000002
【図２】
0005592220.tif 000003
【図３】
0005592220.tif 000004
【図４】
0005592220.tif 000005